(57)【要約】  本技術の一形態に係る画像表示装置は、固体光源と、出射部と、選択部とを具備する。前記固体光源は、所定の波長域を有する第１の可視光を出射可能である。前記出射部は、前記固体光源から出射された前記第１の可視光により励起され前記第１の可視光とは異なる波長域を有する第２の可視光を発する発光体を有し、前記第１及び前記第２の可視光を含む合成光を出射可能である。前記選択部は、前記合成光から、前記第１の可視光と、前記第２の可視光の所定の一部の波長域の光とを含む第３の可視光を選択する。
2015190032.tif 000002
【特許請求の範囲】
【請求項１】
所定の波長域を有する第１の可視光を出射可能な固体光源と、
前記固体光源から出射された前記第１の可視光により励起され前記第１の可視光とは異なる波長域を有する第２の可視光を発する発光体を有し、前記第１及び前記第２の可視光を含む合成光を出射可能な出射部と、
前記合成光から、前記第１の可視光と、前記第２の可視光の所定の一部の波長域の光とを含む第３の可視光を選択する選択部と
を具備する画像表示装置。
【請求項２】
請求項１に記載の画像表示装置であって、
前記選択部は、所定の目標色度を基準として前記第３の可視光を選択する
画像表示装置。
【請求項３】
請求項１に記載の画像表示装置であって、さらに、
ＲＧＢの各色の画像をそれぞれ生成する３つの画像生成素子と、前記ＲＧＢの各色の画像を合成する合成部とを有する画像生成部を具備し、
前記選択部は、前記ＲＧＢの各色の画像のうち青色画像を生成するための青色光として、前記第３の可視光を選択する
画像表示装置。
【請求項４】
請求項１に記載の画像表示装置であって、
前記固体光源は、青色波長域のレーザ光を出射する青色レーザ光源であり、
前記第２の可視光の所定の一部の波長域の光は、シアンの波長域の光である
画像表示装置。
【請求項５】
請求項４に記載の画像表示装置であって、
前記青色レーザ光源は、中心波長が約４４５ｎｍの前記青色レーザ光を出射し、
前記選択部は、約５２０ｎｍの波長の光を選択の基準として、前記合成光から前記第３の可視光を選択する
画像表示装置。
【請求項６】
請求項１に記載の画像表示装置であって、
前記選択部は、所定の目標色度を基準として前記第３の可視光を選択し、
前記目標色度は、ｓＲＧＢ色域における青色の色度である
画像表示装置。
【請求項７】
請求項１記載の画像表示装置であって、
前記発光体は、ＹＡＧ系の蛍光体、ＬＡＧ系の蛍光体、及びＣａＳＮ系の蛍光体のうちいずれか１つを含む
画像表示装置。
【請求項８】
所定の波長域を有する第１の可視光を発光体に照射して励起させることで、前記発光体から前記第１の可視光とは異なる波長域を有する第２の可視光を発生させ、前記第１及び前記第２の可視光を含む合成光を出射し、
前記出射された合成光から、前記第１の可視光と、前記第２の可視光の所定の一部の波長域の光とを含む第３の可視光を選択し、前記選択された第３の可視光を変調することで画像を生成する
画像生成方法。
【発明の詳細な説明】
【技術分野】
【０００１】
本技術は、プロジェクタ等の画像表示装置、及び画像生成方法に関する。
【背景技術】
【０００２】
従来からプロジェクタ等の画像表示装置が広く用いられている。例えば光源からの光が液晶素子等の光変調素子により変調され、その変調光がスクリーン等に投影されることで画像が表示される。光源としては、水銀ランプ、キセノンランプ、ＬＥＤ（Light Emitting Diode）やＬＤ（Laser Diode）等が用いられる。このうちＬＥＤやＬＤ等の固体光源は寿命が長く従来のようなランプ交換が不要であり、また電源を入れて即時に点灯するといった利点を有する。【０００３】
特許文献１には、その図１に示されるように、ＲＧＢの各色のＬＥＤ等からなる基準光源１０と、補助色成分光を生成するための励起光を出射する励起光源２０とを有する映像表示装置について記載されている。励起光源２０から出射された励起光に応じて反射型ホイール４０の発光体層から補助色成分光が出射される。この補助色成分光をＲＧＢの各色のＬＥＤから出射された基準色成分光の光路上に重畳することで、色再現範囲の向上が図られている（明細書段落［００１６］−［００１９］等）。
【先行技術文献】
【特許文献】
【０００４】
【特許文献１】特開２０１１−２４８２７２号公報
【発明の概要】
【発明が解決しようとする課題】
【０００５】
このようにプロジェクタ等の画像表示装置において、高品質なカラー画像を表示することが可能となる技術が求められている。【０００６】
以上のような事情に鑑み、本技術の目的は、高品質なカラー画像を表示することが可能な画像表示装置、及び画像生成方法を提供することにある。
【課題を解決するための手段】
【０００７】
上記目的を達成するため、本技術の一形態に係る画像表示装置は、固体光源と、出射部と、選択部とを具備する。
前記固体光源は、所定の波長域を有する第１の可視光を出射可能である。
前記出射部は、前記固体光源から出射された前記第１の可視光により励起され前記第１の可視光とは異なる波長域を有する第２の可視光を発する発光体を有し、前記第１及び前記第２の可視光を含む合成光を出射可能である。
前記選択部は、前記合成光から、前記第１の可視光と、前記第２の可視光の所定の一部の波長域の光とを含む第３の可視光を選択する。【０００８】
この画像表示装置では、発光体を励起させる第１の可視光と、発光体から発生する第２の可視光の所定の一部の波長域の光とを含む第３の可視光が生成される。例えば第２の可視光の所定の一部の光の波長域を調整することで、第３の可視光の波長域を調整することができる。この結果、第３の可視光を用いて高品質なカラー画像を表示することが可能となる。【０００９】
前記選択部は、所定の目標色度を基準として前記第３の可視光を選択してもよい。
この画像表示装置では、所定の目標色度となる、あるいは目標色度に近づくように、第３の可視光が選択される。これにより高品質なカラー画像を生成することが可能となる。【００１０】
前記画像表示装置は、さらに、ＲＧＢの各色の画像をそれぞれ生成する３つの画像生成素子と、前記ＲＧＢの各色の画像を合成する合成部とを有する画像生成部を具備してもよい。この場合、前記選択部は、前記ＲＧＢの各色の画像のうち青色画像を生成するための青色光として、前記第３の可視光を選択する。
これにより青色光の波長域や色度を調整可能となるので、高品質なカラー画像を生成することが可能となる。【００１１】
前記固体光源は、青色波長域のレーザ光を出射する青色レーザ光源であってもよい。この場合、前記第２の可視光の所定の一部の波長域の光は、シアンの波長域の光であってもよい。
シアンの波長域の光が含ませることで、青色レーザ光源から出射されたレーザ光の色度を、所定の目標色度にむけて調整することが可能となる。【００１２】
前記青色レーザ光源は、中心波長が約４４５ｎｍの前記青色レーザ光を出射してもよい。この場合、前記選択部は、約５２０ｎｍの波長の光を選択の基準として、前記合成光から前記第３の可視光を選択してもよい。
このように中心波長が短い青色レーザ光源が用いられる場合でも、所定の目標色度となる光、あるいは目標色度に近い光を、第３の可視光として選択することができる。【００１３】
前記選択部は、所定の目標色度を基準として前記第３の可視光を選択してもよい。この場合、前記目標色度は、ｓＲＧＢ色域における青色の色度であってもよい。
この画像表示装置では、第３の可視光として、ｓＲＧＢ色域における青色の色度の光、あるいはこれに近い光を選択することができる。【００１４】
前記発光体は、ＹＡＧ系の蛍光体、ＬＡＧ系の蛍光体、及びＣａＳＮ系の蛍光体のうちいずれか１つを含んでもよい。
このような蛍光体が用いられる場合でも、本技術により高品質なカラー画像を生成することが可能となる。【００１５】
本技術の一形態に係る画像生成方法は、所定の波長域を有する第１の可視光を発光体に照射して励起させることで、前記発光体から前記第１の可視光とは異なる波長域を有する第２の可視光を発生させ、前記第１及び前記第２の可視光を含む合成光を出射することを含む。
前記出射された合成光から、前記第１の可視光と、前記第２の可視光の所定の一部の波長域の光とを含む第３の可視光が選択され、前記選択された第３の可視光を変調することで画像が生成される。
【発明の効果】
【００１６】
以上のように、本技術によれば、高品質なカラー画像を表示することが可能となる。なお、ここに記載された効果は必ずしも限定されるものではなく、本開示中に記載されたいずれかの効果であってもよい。
【図面の簡単な説明】
【００１７】
【図１】一実施形態に係る画像表示装置の構成例を示す概略図である。
【図２】ＲＧＢの各色の画像、及び白色の画像を、それぞれ単色で表示した際に投射システムから出射される光の発光スペクトルを示す図である。
【図３】選択部として機能するダイクロイックミラーの分光特性を示す図である。
【図４】青色光の発光スペクトルを示す図である。
【図５】ＣＩＥが定めるＸＹＺ表色系に基づくｘｙ色度図を示す図である。
【図６】図５に示すｘｙ色度図の主に青色の領域を拡大した図である。
【発明を実施するための形態】
【００１８】
以下、本技術に係る実施形態を、図面を参照しながら説明する。
【００１９】
［画像表示装置］
図１は、本技術の一実施形態に係る画像表示装置の構成例を示す概略図である。画像表示装置５００は、例えばプレゼンテーション用、もしくはデジタルシネマ用のプロジェクタとして用いられる。その他の用途に用いられる画像表示装置にも、以下に説明する本技術は適用可能である。
【００２０】
画像表示装置５００は、白色光を出射可能な光源装置１００と、光源装置１００からの光をもとに画像を生成する画像生成システム（画像生成部）２００と、生成された画像を図示しないスクリーン等に投射する投射システム４００とを有する。
【００２１】
光源装置１００は、光源部１１０と、蛍光体ホイール１２０と、レンズ部１３０と、インテグレータ光学系１４０とを有する。光源部１１０は、青色波長域の青色レーザ光Ｂ１を出射可能な青色レーザ光源（固体光源）１１１と、青色レーザ光Ｂ１を蛍光体ホイール１２０の所定のポイントに集光する集光レンズ１１４等を有する。
【００２２】
本実施形態では、中心波長が約４４５ｎｍの青色レーザ光Ｂ１を出射する青色レーザ光源１１１が用いられる。青色レーザ光源１１１は、単体で用いられてもよいし、二次元状に複数並べられて用いられてもよい。複数の青色レーザ光源１１１が、レーザアレイ光源（面光源）として用いられることで、高輝度の画像を表示することができる。
【００２３】
蛍光体ホイール１２０は、青色レーザ光Ｂ１を透過させる円盤形状の基板１２１と、その基板１２１上に設けられた蛍光体層（発光体）１２２とを有する。基板１２１の中心には、蛍光体ホイール１２０を駆動するモータ１２３が接続され、蛍光体ホイール１２０は、回転軸１２４を中心として回転可能に設けられている。
【００２４】
蛍光体層１２２は、青色レーザ光Ｂ１によって励起されて蛍光を発する蛍光物質を含んでいる。蛍光体層１２２は、青色レーザ光源１１１が出射する青色レーザ光Ｂ１の一部を、黄色波長域の光に変換して出射する。蛍光体層１２２に含まれる蛍光物質としては、例えばＹＡＧ（イットリウム・アルミニウム・ガーネット）系蛍光体が用いられる。また蛍光体層１２２は、励起光の一部を透過させることにより、青色レーザ光源１１１から出射された青色レーザ光Ｂ１も出射可能である。
【００２５】
モータ１２３により基板１２１が回転されている状態で、レーザ光源１１１から青色レーザ光Ｂ１が出射される。青色レーザ光Ｂ１は、基板１２１の回転に合わせて、相対的に円を描くように蛍光体層１２２に照射される。これにより蛍光体層１２２から、蛍光体１２１を透過した青色レーザ光Ｂ１と、蛍光体層１２２から発する黄色波長域の光とを含む白色光（合成光）Ｗが出射される。
【００２６】
レンズ部１３０は、蛍光体ホイール１２０から出射された白色光Ｗの広がりを抑える第１のレンズ１３１と、第１のレンズ１３１から入射される白色光Ｗを略平行化する第２のレンズ１３２とを有する。
【００２７】
インテグレータ光学系１４０は、インテグレータ素子１４１と、偏光変換素子１４２と、集光レンズ１４３とを有する。インテグレータ素子１４１は、第１及び第２のフライアイレンズ１４４及び１４５を有する。インテグレータ素子１４１により、偏光変換素子１４２に照射される白色光Ｗの輝度分布が均一に整えられる。
【００２８】
偏光変換素子１４２は、インテグレータ素子１４１を介して入射する白色光Ｗの偏光状態を揃える機能を有する。偏光状態が揃えられた白色光Ｗは、集光レンズ１４３を介して、画像生成システム２００に出射される。本実施形態では、蛍光体ホイール１２０、レンズ部１３０、及びインテグレータ光学系１４０により、出射部が実現される。
【００２９】
画像生成システム２００は、ＲＧＢの各色の画像（赤色画像、緑色画像、青色画像）をそれぞれ生成する３つの液晶ライトバルブ（画像生成素子）２１０と、各液晶ライトバルブ２１０に光を照射する照明光学系２２０とを有する。また画像生成システム２００は、ＲＧＢの各色の画像を合成するダイクロイックプリズム（合成部）３１０を有する。
【００３０】
各液晶ライトバルブ２１０は、供給される画像信号に基づき、入射光を画素毎に変調し、それぞれ赤色画像、緑色画像及び青色画像を生成する。変調された各色の光（形成された各色の画像）は、ダイクロイックプリズム３１０に入射して合成される。ダイクロイックプリズム３１０は、３つの方向から入射した各色の光（画像）を重ね合わせて合成し、投射システム４００に向けて出射する。
【００３１】
照明光学系２００は、光源装置１００により出射された白色光Ｗから、赤色画像を生成するための赤色光Ｒ２、緑色画像を生成するための緑色光Ｇ２、及び青色画像を生成するための青色光Ｂ２をそれぞれ選択する。選択されたＲＧＢの各色の光Ｒ２、Ｇ２及びＢ２が、各色の光を変調する液晶ライトバルブ２１０Ｒ、２１０Ｇ及び２１０Ｂに出射される。これによりＲＧＢの各色の画像が生成される。
【００３２】
図１に示すように、照明光学系２２０は、ダイクロイックミラー２３０及び２４０、ミラー２５０、２６０及び２７０、リレーレンズ２８０及び２９０、フィールドレンズ３００Ｒ、３００Ｇ及び３００Ｂを有する。
【００３３】
ダイクロイックミラー２３０及び２４０は、所定の波長域の色光を選択的に透過させ、それ以外の波長域の光を反射する性質を有する。本実施形態では、ダイクロイックミラー２３０が、青色光Ｂ２を選択的に透過させ、残りの光を反射する。ダイクロイックミラー２４０は、ダイクロイックミラー２３０により反射された光のうち、赤色光Ｒ２を選択的に透過させる。残る緑色光Ｇ２は、ダイクロイックミラー２４０により反射される。これにより光源装置１００から出射された白色光Ｗが、ＲＧＢの各色の光に分離される。
【００３４】
分離された青色光Ｒ２は、ミラー２５０により反射され、フィールドレンズ３００Ｂを通ることによって平行化された後、液晶ライトバルブ２１０Ｂに入射する。赤色光Ｒ２は、リレーレンズ２８０を通ってミラー２６０により反射され、さらにリレーレンズ２９０を通ってミラー２７０により反射される。ミラー２７０により反射された赤色光Ｒ２は、フィールドレンズ３００Ｒを通ることによって平行化された後、液晶ライトバルブ２１０Ｒに入射する。緑色光Ｇ３は、フィールドレンズ３００Ｇを通ることによって平行化された後、液晶ライトバルブ２１０Ｇに入射する。
【００３５】
投射システム４００は、複数のレンズ４１０等を有し、ダイクロイックプリズム３１０によって合成された画像を図示しないスクリーン等に照射する。これによりフルカラーの画像が表示される。
【００３６】
本実施形態では、青色レーザ光Ｂ１が、所定の波長域を有する第１の可視光に相当する。また蛍光体層１２２から発生する黄色波長域の光が、第１の可視光とは異なる波長域を有する第２の可視光に相当する。従って白色光Ｗは、第１及び第２の可視光を含む合成光となる。
【００３７】
また本実施形態では、図１に示すダイクロイックミラー２３０が、合成光から、第１の可視光と、第２の可視光の所定の一部の波長域の光とを含む第３の可視光を選択する選択部としても機構する。
【００３８】
従ってダイクロイックミラー２３０により、白色光Ｗから、青色レーザ光Ｂ１と、黄色波長域の光の所定の一部の波長域の光とを含む第３の可視光として分離される。分離された第３の可視光は、青色画像を生成するための青色光Ｂ２として、液晶ライトバルブ２１０Ｂに出射される。
【００３９】
図２は、ＲＧＢの各色の画像、及びこれらを合成した白色の画像を、それぞれ単色で表示した際に投射システム４００から出射される光の発光スペクトルを示す図である。各色の画像の発光スペクトルは、画像生成システム２００に出射される白色光Ｗ、照明光学系２２０により分離される赤色光Ｒ２、緑色光Ｇ２、及び青色光Ｂ２の、各発光スペクトルとみなすことができる。
【００４０】
図２に示すように、比較的狭い波長域を有し中心波長が約４４５ｎｍであるレーザ光Ｂ１と、約４６０ｎｍから約７００ｎｍまでの比較的広い波長域を有し、発光強度のピーク波長が約５５０ｎｍとなる黄色波長域の光Ｙとが合成されて、白色光Ｗが生成されている。
【００４１】
図３は、ダイクロイックミラー２３０の分光特性を示す図である。図４は、図２に示す各色の発光スペクトルのうち、青色光Ｂ２の発光スペクトルを示す図である。図３に示すように、本実施形態では、ダイクロイックミラー２３０により、約４１０ｎｍから約５２０ｎｍまでの光が透過され、それ以外の波長の光が反射される。ここで示す波長は、透過率が５０％となる半値波長である。
【００４２】
従って図４に示すように、ダイクロイックミラー２３０により、中心波長が約４４５ｎｍであるレーザ光Ｂ１と、約４６０ｎｍから約５４５ｎｍまでの波長域を有し、ピーク波長が約５１５ｎｍとなるシアンの波長域の光Ｃ（シアン成分光）とが透過される。これら青色レーザ光Ｂ１とシアンの波長域光Ｃとを含む第３の可視光が、青色光Ｂ２として液晶パネル２１０Ｂに出射される。
【００４３】
なおＲＧＢ、黄色、シアン等の各色についての波長域は、ある特定の値により規定されるものに限定されず、適宜設定されてよい。一般的に各色の波長域として考えられている値が適宜用いられてよい。
【００４４】
図５は、ＣＩＥ（国際照明委員会）が定めるＸＹＺ表色系に基づくｘｙ色度図を示す図である。図６は、ｘｙ色度図の主に青色の領域を拡大した図である。図５中の馬蹄形の範囲Ｈは、人の目で認識できる色の範囲を表す。範囲Ｈの略中央が白色（無彩色）に対応し、周縁部に近づくほど彩度が上がる。そして範囲Ｈの左下の色度点から曲線を介して右側の色度点までの範囲の周縁部が、紫色から赤色までの単色（純色）の色度点となる。
【００４５】
範囲Ｈの中には、三角で示される３種類の色域Ｃ１、Ｃ２及びＣ３が図示されている。各色域において三角形の頂点は、その色域の三原色となるＲＧＢの色度点に相当する。三角形の左下の頂点は青色の色度点となり、上側の頂点は緑色の色度点となる。また右側の頂点は、赤色の色度点となる。これらのＲＧＢにより、三角形の内部の色が表現される。従って色域は、再現可能（表現可能）な色の範囲を表すものとなる。
【００４６】
図５に示す色域Ｃ１は、ＩＥＣにより規定されたｓＲＧＢの色域である（以下ｓＲＧＢ色域Ｃ１と記載する）。ｓＲＧＢ色域Ｃ１の、三原色のＲＧＢの色度座標は以下のようになる。
Ｒ：（ｘ＝０．６４０，ｙ＝０．３３０）
Ｇ：（ｘ＝０．３００，ｙ＝０．６００）
Ｂ：（ｘ＝０．１５０，ｙ＝０．０６０）
【００４７】
色域Ｃ２は、本実施形態に係るダイクロイックミラー２３０を含む照明光学系２２０により分光された赤色光Ｒ２、緑色光Ｇ２、及び青色光Ｂ２を三原色とする色域である。
【００４８】
色域Ｃ３は、比較例として示す色域であり、図１に示す青色レーザ光源１１１から出射された青色レーザ光Ｂ１をそのまま青色光として用いた場合の色域である。例えば図１に示すダイクロイックミラー２３０に代えて、約５００ｎｍまでの光を透過し、それ以上の波長の光を反射するダイクロイックミラーが用いられたとする（波長は半値波長）。この場合は、中心波長が約４４５ｎｍであるレーザ光Ｂ１がそのまま青色光として、液晶パネル２１０Ｂに出射される。
【００４９】
蛍光体層１２２から出射される黄色波長域の光Ｙは反射され、赤色光と緑色光とに分割される（赤色光Ｒ１及び緑色光Ｇ１と記載する）。色域Ｃ３は、これらの青色レーザ光Ｂ１、赤色光Ｒ１、及び緑色光Ｇ１を三原色とする色域である。
【００５０】
図６に示すように、青色レーザ光Ｂ１の色度点の座標は、（ｘ＝０．１６０，ｙ＝０．０２０）付近となり、ｓＲＧＢの青色Ｂの色度点よりも大きくずれている。ｘ及びｙ座標がともに低くなるので、見た目においても深い青（藍色）となってしまう。またｓＲＧＢの青色の色度点Ｂは、色域Ｃ３内に含まれないので、ｓＲＧＢにおける青色を表示することができない。この結果、表示される画像の色再現性が低下してしまう。
【００５１】
ダイクロイックミラー２３０により選択された青色光Ｂ２は、青色レーザ光Ｂ１と、シアンの波長域光Ｃとを含む。従って図６に示すように、青色光Ｂ２の色度点は、ｓＲＧＢの青色Ｂの色度点に十分に近い位置となる。もちろん本技術を用いて、青色光Ｂ２の色度点をｓＲＧＢの青色Ｂの色度点に一致させることも可能である。
【００５２】
以上、本実施形態に係る画像表示装置５００では、蛍光体層１２２を励起させる青色レーザ光Ｂ１と、蛍光体層１２２から発生する黄色波長域光Ｙの所定の一部の波長域の光であるシアンの波長域光Ｃとを含む青色光Ｂ２が生成される。例えば青色レーザ光Ｂ１に加えられる光の波長域を調整することで、青色光Ｂ２の波長域を調整することができる。この結果、青色光Ｂ２を用いて高品質なカラー画像を生成することが可能となる。また特許文献１に記載のような補助色成分光を生成するための新たな光源は不要であるので、装置の小型化や簡素化に非常に有利である。
【００５３】
典型的には、上記で説明したように所定の目標色度を基準として、青色光Ｂ２の色度が目標色度となる、あるいは目標色度に近づくように、白色光Ｗから青色光Ｂ２が選択される。例えば図１や図３に示す発光スペクトルをもとに、その光の色度を算出することが可能である。従って青色光Ｂ２が、所望の色度に対応する発光スペクトルとなるように、青色レーザ光Ｂ２に加えられる光の波長域が適宜調整されればよい。
【００５４】
例えば分光特性の異なるダイクロイックミラーを用いることで、青色光Ｂ２の色度を調整することができる。透過可能な波長域を調整することで青色レーザ光Ｂ２に加えられるシアン成分光を調整可能であり、青色光Ｂ２の色度を調整することができる。なお白色光Ｗから青色光Ｂ２を選択する選択部は、ダイクロイックミラーに限定されず、ダイクロイックプリズム等の他の光学部材であってもよい。
【００５５】
従来の、水銀ランプ等に対応した分光特性を有するダイクロイックミラーでは、適正な青色光を得るために、シアン成分光はカットされる場合が多い。シアン成分光が青色光の光路上に透過されると、青色が浅くなってしまうからである。
【００５６】
水銀ランプ等に代えてレーザ光源等の固体光源を使用する際に、従来の分光特性を有するダイクロイックミラーを用いると、図５及び図６に示す色域Ｃ３となってしまい、色再現性が低下してしまうことが懸念される。この新しい課題に対して、本発明者は、従来ではカットされていたシアン成分光を逆に透過させ、青色レーザ光に加えるということを考案するに至った。これにより波長域が狭いレーザ光が用いられる場合でも、その色度を改善させることが可能となった。
【００５７】
なお中心波長が長波長側である青色レーザ光を出射するレーザ光源を用いて、シアン成分光を加えることなく、適正な青色光を得ることも考えられる。しかしながら、出射されるレーザ光の波長が長くなると、レーザ光源の発光効率が低下し発光パワーは低くなる。従ってこのようなレーザ光源を用いる場合、表示される画像の輝度が低下してしまう。本技術では、短い波長の青色レーザ光を出射する、発光パワーが高い青色レーザ光源が用いられる場合でも、青色光の色度を調整することが可能であるので、高品質なカラー画像を表示することが可能となる。
【００５８】
＜その他の実施形態＞
本技術は、以上説明した実施形態に限定されず、他の種々の実施形態を実現することができる。
【００５９】
第１の可視光、第２の可視光、第３の可視光、及び第２の可視光の所定の一部の波長域の光として、色、波長域、中心波長、ピーク波長等、いずれも限定することなく本技術を適用することが可能である。例えば赤色波長域、緑色波長域、あるいは黄色波長域等の任意の色の光が第１の可視光として出射されてもよい。当該第１の可視光により励起可能な蛍光体層が適宜配置され、第１の可視光と第２の可視光とを含む合成光が出射される。合成光から選択される第３の可視光の波長域及び色度を適宜調整可能であるので、高品質なカラー画像を生成して表示することができる。
【００６０】
典型的には、第１の可視光として出射される光の色の深さ（濃さ、彩度）を調整するために、本技術が有効に用いられる。もちろんこれに限定されるわけではない。
【００６１】
蛍光体層に含まれる蛍光物質として、上記で挙げたＹＡＧ系蛍光体の他に、黄色波長域光を発するＬＡＧ（ルテチウム・アルミニウム・ガーネット）系蛍光体や、赤色波長域光を発するＣａＳＮ系（窒化物系）の蛍光体等が用いられてもよい。その他の蛍光体が用いられてもよい。
【００６２】
上記では１つ目のダイクロイックミラー２３０により白色光Ｗから青色光Ｂ２が選択された。しかしながら合成光から第３の可視光を含む３以上の光がそれぞれ選択される場合、第３の可視光が選択される順番は限定されない。例えば上記の実施形態において、最初に赤色光と、シアンの波長域の光とが分離される。その次に、シアンの波長域の光から、緑色光と、第３の可視光である青色光が分離されてもよい。この場合、２つ目のダイクロイックミラーの分光特性が適宜設定されればよい。
【００６３】
上記では、約５２０ｎｍを半値波長とするダイクロイックミラー２３０が用いられた。これは約５２０ｎｍの波長の光を選択の基準とする選択方法の一例である。これに限定されるわけではなく、例えば透過可能な最大波長の光が約５２０ｎｍの光であるダイクロイックミラー等により第３の可視光が選択される方法も、上記の約５２０ｎｍの波長の光を選択の基準とする選択方法に含まれる。
【００６４】
上記では、ｓＲＧＢの青色の色度を目標色度として、第３の可視光が選択された。目標色度はこれに限定されない。ｓＲＧＢの他の色の色度が目標色度として設定されてもよい。あるいは、ｓＲＧＢとは異なるＡｄｏｂｅ（登録商標）ＲＧＢ規格、ＤＣＩ（Digital Cinema Initiatives）規格、又はＮＴＳＣ（National Television System Committee）規格の色域等の各頂点の色度が目標色度として設定されてもよい。また任意の色度座標を有する色度が、目標色度としてユーザ等により設定可能であってもよい。
【００６５】
上記ではＲＧＢの各色の画像を生成するために赤色光、緑色光、及び青色光が生成された。しかしこれに限定されず、例えばシアン、マゼンタ、黄色の３つの色の光が生成され、この３色の画像が合成されることでカラー画像が生成されてもよい。また４つ以上の色の画像が合成されてもよい。これらの場合でも本技術は適用可能である。
【００６６】
固体光源としＬＥＤが用いられる場合にでも、本技術は適用可能である。その他の固体光源が用いられてもよい。
【００６７】
なお、本開示中に記載された効果はあくまで例示であって限定されるものでは無く、また他の効果があってもよい。上記の複数の効果の記載は、それらの効果が必ずしも同時に発揮されるということを意味しているのではない。条件等により、少なくとも上記した効果のいずれかが得られることを意味しており、もちろん本開示中に記載されていない効果が発揮される可能性もある。
【００６８】
以上説明した各形態の特徴部分のうち、少なくとも２つの特徴部分を組み合わせることも可能である。すなわち各形態で説明した種々の特徴部分は、各形態の区別なく、任意に組み合わされてもよい。
【００６９】
なお、本技術は以下のような構成も採ることができる。
（１）所定の波長域を有する第１の可視光を出射可能な固体光源と、
前記固体光源から出射された前記第１の可視光により励起され前記第１の可視光とは異なる波長域を有する第２の可視光を発する発光体を有し、前記第１及び前記第２の可視光を含む合成光を出射可能な出射部と、
前記合成光から、前記第１の可視光と、前記第２の可視光の所定の一部の波長域の光とを含む第３の可視光を選択する選択部と
を具備する画像表示装置。
（２）（１）に記載の画像表示装置であって、
前記選択部は、所定の目標色度を基準として前記第３の可視光を選択する
画像表示装置。
（３）（１）又は（２）に記載の画像表示装置であって、さらに、
ＲＧＢの各色の画像をそれぞれ生成する３つの画像生成素子と、前記ＲＧＢの各色の画像を合成する合成部とを有する画像生成部を具備し、
前記選択部は、前記ＲＧＢの各色の画像のうち青色画像を生成するための青色光として、前記第３の可視光を選択する
画像表示装置。
（４）（１）から（３）のうちいずれか１つに記載の画像表示装置であって、
前記固体光源は、青色波長域のレーザ光を出射する青色レーザ光源であり、
前記第２の可視光の所定の一部の波長域の光は、シアンの波長域の光である
画像表示装置。
（５）（４）に記載の画像表示装置であって、
前記青色レーザ光源は、中心波長が約４４５ｎｍの前記青色レーザ光を出射し、
前記選択部は、約５２０ｎｍの波長の光を選択の基準として、前記合成光から前記第３の可視光を選択する
画像表示装置。
（６）（１）から（５）のうちいずれか１つに記載の画像表示装置であって、
前記選択部は、所定の目標色度を基準として前記第３の可視光を選択し、
前記目標色度は、ｓＲＧＢ色域における青色の色度である
画像表示装置。
（７）（１）から（６）のうちいずれか１つに記載の画像表示装置であって、
前記発光体は、ＹＡＧ系の蛍光体、ＬＡＧ系の蛍光体、及びＣａＳＮ系の蛍光体のうちいずれか１つを含む
画像表示装置。
【符号の説明】
【００７０】
Ｂ１…青色レーザ光
Ｂ２…青色光
Ｃ…シアンの波長域の光
Ｗ…白色光
Ｙ…黄色波長域の光
１００…光源装置
１１１…青色レーザ光源
１２０…蛍光体ホイール
１２２…蛍光体層
１３０…レンズ部
１４０…インテグレータ光学系
２００…画像生成システム
２１０…液晶パネル
２３０…ダイクロイックミラー
３１０…ダイクロイックプリズム
４００…投射システム
５００…画像表示装置
【図１】
2015190032.tif 000003
【図２】
2015190032.tif 000004
【図３】
2015190032.tif 000005
【図４】
2015190032.tif 000006
【図５】
2015190032.tif 000007
【図６】
2015190032.tif 000008
【国際調査報告】
2015190032.tif 000009
2015190032.tif 000010
2015190032.tif 000011
2015190032.tif 000012